(57)【特許請求の範囲】
【請求項１】
第１ノードで受信されたスプリットベアラのためのデータストリームの第１の部分がユーザ装置に通され、他の部分が第２ノードに通される二重接続において、
前記第２ノードでデータが受信されていない範囲のシーケンスナンバーの少なくとも１つのエンドポイントの指示を前記第１ノードで受信し；
前記少なくとも１つのエンドポイントを使用して、データが受信されていない前記範囲のシーケンスナンバーを決定し；
前記範囲のシーケンスナンバーを、前記第１ノードにより前記第２ノードへ以前に送られたデータに関連した少なくとも１つのシーケンスナンバーと比較し；及び
一致がある場合に、その一致するシーケンスナンバーに関連したデータを再送信し、前記再送信されたデータは前記第２ノードの１つ以上に送られるか前記ユーザ装置に直接送られるものである；
ことを含む、
方法。
【請求項２】
前記少なくとも１つのエンドポイントは、首尾良く受信したデータに関連したシーケンスナンバー、データが受信されていないシーケンスナンバー、最終受信データに関連したシーケンスナンバー、及び第１受信データに関連したシーケンスナンバー、のうちの少なくとも１つを含む、請求項１に記載の方法。
【請求項３】
前記範囲のシーケンスナンバーは、連続する範囲を含む、請求項１から２のいずれかに記載の方法。
【請求項４】
１つ以上のプロセッサで実行されたときに請求項１から３のいずれかの方法を遂行するコンピュータ実行可能なインストラクションを含むコンピュータプログラム。
【請求項５】
少なくとも１つのプロセッサ；及び
コンピュータプログラムコードを含む少なくとも１つのメモリ；
を備えた装置において、その少なくとも１つのメモリ及びコンピュータプログラムコードは、少なくとも１つのプロセッサとで、装置が、少なくとも：
前記装置で受信されたスプリットベアラのためのデータストリームの第１の部分がユーザ装置に通され、他の部分がネットワークノードに通される二重接続において、
データが受信されていない範囲のシーケンスナンバーの少なくとも１つのエンドポイントの指示を前記装置で受信し；
前記少なくとも１つのエンドポイントを使用して、データが受信されていない前記範囲のシーケンスナンバーを決定し；
前記範囲のシーケンスナンバーを、前記装置により前記ネットワークノードへ以前に送られたデータに関連した少なくとも１つのシーケンスナンバーと比較し、ここで前記装置は、マスターベースステーションを含み、そして前記ネットワークノードは、二次ベースステーションを含むものであり；及び
一致がある場合に、その一致するシーケンスナンバーに関連したデータを再送信し、前記再送信されたデータは前記ネットワークノードの１つ以上に送られるか前記ユーザ装置に直接送られるものである；ようにさせるよう構成された、装置。
【請求項６】
前記少なくとも１つのエンドポイントは、首尾良く受信したデータに関連したシーケンスナンバー、データが受信されていないシーケンスナンバー、最終受信データに関連したシーケンスナンバー、及び第１受信データに関連したシーケンスナンバー、のうちの少なくとも１つを含む、請求項５に記載の装置。
【請求項７】
前記範囲のシーケンスナンバーは、連続する範囲を含む、請求項５から６のいずれかに記載の装置。
【発明の詳細な説明】
【技術分野】
【０００１】
本発明は、データを送信する方法、装置及びコンピュータプログラムに関する。
【背景技術】
【０００２】
通信システムは、固定又は移動通信装置、ベースステーション、サーバー及び／又は他の通信ノードのような２つ以上のエンティティ間で通信セッションを実行できるファシリティと考えられる。通信システム及び適合する通信エンティティは、典型的に、そのシステムに関連した種々のエンティティが何を行うことが許されそしてそれをどのように達成すべきか記載する所与の規格又は仕様書に従って動作する。例えば、それら規格、仕様書及びその関連プロトコルは、通信する装置間で通信の種々の観点をどのように実施すべきか定義することができる。通信は、ワイヤード又はワイヤレスの搬送波において搬送される。ワイヤレス通信装置では、少なくともステーション間の通信の一部分がワイヤレスリンクを経て行われる。
【０００３】
ワイヤレスシステムは、例えば、公衆地上移動ネットワーク（ＰＬＭＮ）、例えば、セルラーネットワーク、衛星ベースの通信システム及び異なるワイヤレスローカルネットワーク、例えば、ワイヤレスローカルエリアネットワーク（ＷＬＡＮ）を含む。ワイヤレスシステムは、セル又は他の無線カバレージ或いはサービスエリアに分割される。無線サービスエリアは、ステーションにより提供される。無線サービスエリアは重畳し、従って、エリア内の通信装置は、典型的に、２つ以上のステーションへ信号を送信し及びそこから信号を受信することができる。
【０００４】
ユーザは、適当な通信装置により通信システムにアクセスする。ユーザの通信装置は、ユーザ装置（ＵＥ）又はターミナルとしばしば称される。通信装置には、他の当事者との通信を可能にする適当な信号受信及び送信構成体が設けられる。典型的に、通信装置は、スピーチ及びデータのような通信の受信及び送信を可能にするために使用される。ワイヤレスシステムでは、通信装置は、例えば、ベースステーション又はアクセスポイントのような別の通信装置及び／又は別のユーザ装置と通信することのできるトランシーバステーションを形成する。通信装置は、ステーション、例えば、ベースステーション又はアクセスノードにより送られる搬送波にアクセスし、そしてその搬送波で通信を送信及び／又は受信することができる。
【０００５】
通信システムの一例は、第３世代パートナーシッププロジェクト（３ＧＰＰ）によって標準化されているアーキテクチャーである。このシステムは、ユニバーサルモバイルテレコミュニケーションズシステム（ＵＭＴＳ）無線アクセステクノロジーの長期進化（ＬＴＥ）としばしば称されている。ＬＴＥの更なる開発は、ＬＴＥアドバンストとしばしば称されている。３ＧＰＰ  ＬＴＥの種々の開発段階は、リリースと称される。
【０００６】
通信システムは、ユーザのための送信／受信ポイントを提供する異なる形式の無線サービスエリアを含む。例えば、ＬＴＥアドバンストでは、送信／受信ポイントは、例えば、全セル又はそれより小さな無線サービスエリアのカバレージを与えるマクロｅＮｏｄｅ−Ｂ（ｅＮＢ）のようなワイドエリアネットワークノードを含む。又、ネットワークノードは、小さな又はローカル無線サービスエリアネットワークノード、例えば、ホームｅＮＢ（ＨｅＮＢ）、ピコｅＮｏｄｅＢ（ｐｉｃｏ−ｅＮＢ）、又はフェムトノードでもある。あるアプリケーションは、例えば、ｅＮＢに接続される無線リモートヘッド（ＲＲＨ）を使用する。大きな無線サービスエリア内に小さな無線サービスエリアが完全に又は部分的に配置される。従って、ユーザ装置は、２つ以上の無線サービスエリア内に配置されて、それらと通信する。小さな無線サービスエリアのノードは、ローカルオフロードをサポートするように構成される。又、ローカルノードは、セルの範囲を拡張するようにも構成される。
【発明の概要】
【０００７】
第１の観点において、イベントが発生したことを第１ノードで決定し；前記決定に応答して、非受信データに関連したある範囲のシーケンスナンバーの少なくとも１つのエンドポイントの指示を第２ノードへ送信する；ことを含む方法が提供される。
【０００８】
好ましくは、前記イベントは、前記第２ノードから前記第１ノードでデータが受信されなかったとの決定を含む。
【０００９】
好ましくは、前記イベントは、所定の時間中、前記第２ノードから前記第１ノードでデータが受信されなかったとの決定を含む。
【００１０】
好ましくは、前記イベントは、タイマーの時間切れを含む。
【００１１】
好ましくは、前記範囲は、連続的な範囲を含む。
【００１２】
好ましくは、前記少なくとも１つのエンドポイントは、首尾良く受信したデータに関連したシーケンスナンバー、非受信データに関連したシーケンスナンバー、最終受信データに関連したシーケンスナンバー、及び第１受信データに関連したシーケンスナンバー、のうちの少なくとも１つを含む。
【００１３】
好ましくは、前記データは、少なくとも１つのプロトコルデータユニットを含む。
【００１４】
好ましくは、前記エンドポイントは、上のエンドポイント及び下のエンドポイントの少なくとも一方を含む。
【００１５】
好ましくは、前記第１ノードは、二次ベースステーションを含み、そして前記第２ノードは、マスターベースステーションを含む。
【００１６】
好ましくは、前記方法は、前記非受信データを受信することを含む。
【００１７】
第２の観点において、１つ以上のプロセッサで実行されたときに前記第１の観点の方法を遂行するコンピュータ実行可能なインストラクションを含むコンピュータプログラムが提供される。
【００１８】
第３の観点において、第２ノードでの非受信データに関連したある範囲のシーケンスナンバーの少なくとも１つのエンドポイントの指示を第１ノードで受信し；前記少なくとも１つのエンドポイントを使用して、非受信データに関連した前記範囲のシーケンスナンバーを決定し；前記範囲のシーケンスナンバーを、前記第１ノードにより前記第２ノードへ以前に送られたデータに関連した少なくとも１つのシーケンスナンバーと比較し；そして一致がある場合に、その一致するシーケンスナンバーに関連したデータを再送信する；ことを含む方法が提供される。
【００１９】
好ましくは、前記再送信データは、前記第２ノード及びユーザ装置の１つ以上へ送られる。
【００２０】
好ましくは、前記少なくとも１つのエンドポイントは、首尾良く受信したデータに関連したシーケンスナンバー、非受信データに関連したシーケンスナンバー、最終受信データに関連したシーケンスナンバー、及び第１受信データに関連したシーケンスナンバー、のうちの少なくとも１つを含む。
【００２１】
好ましくは、前記データは、少なくとも１つのプロトコルデータユニットを含む。
【００２２】
好ましくは、前記エンドポイントは、上のエンドポイント及び下のエンドポイントの少なくとも１つを含む。
【００２３】
好ましくは、前記範囲のシーケンスナンバーは、連続する範囲を含む。
【００２４】
好ましくは、前記第１ノードは、マスターベースステーションを含み、そして前記第２ノードは、二次ベースステーションを含む。
【００２５】
第４の観点において、１つ以上のプロセッサで実行されたときに前記第３の観点の方法を遂行するコンピュータ実行可能なインストラクションを含むコンピュータプログラムが提供される。
【００２６】
第５の観点において、少なくとも１つのプロセッサ；及びコンピュータプログラムコードを含む少なくとも１つのメモリ；を備えた装置において、その少なくとも１つのメモリ及びコンピュータプログラムコードは、少なくとも１つのプロセッサとで、装置が、少なくとも：イベントが発生したことを決定し；前記決定に応答して、非受信データに関連したある範囲のシーケンスナンバーの少なくとも１つのエンドポイントの指示をノードへ送信する；ようにさせるよう構成された装置が提供される。
【００２７】
好ましくは、前記イベントは、前記ノードから前記装置でデータが受信されなかったと決定することを含む。
【００２８】
好ましくは、前記イベントは、所定の時間中、前記ノードから前記装置でデータが受信されなかったと決定することを含む。
【００２９】
好ましくは、前記イベントは、タイマーの時間切れを含む。
【００３０】
好ましくは、前記範囲は、連続的な範囲を含む。
【００３１】
好ましくは、前記少なくとも１つのエンドポイントは、首尾良く受信したデータに関連したシーケンスナンバー、非受信データに関連したシーケンスナンバー、最終受信データに関連したシーケンスナンバー、及び第１受信データに関連したシーケンスナンバー、のうちの少なくとも１つを含む。
【００３２】
好ましくは、前記データは、少なくとも１つのプロトコルデータユニットを含む。
【００３３】
好ましくは、前記エンドポイントは、上のエンドポイント及び下のエンドポイントの少なくとも一方を含む。
【００３４】
好ましくは、前記装置は、二次ベースステーションを含み、そして前記ノードは、マスターベースステーションを含む。
【００３５】
好ましくは、前記装置は、前記非受信データを受信するように構成される。
【００３６】
第６の観点において、イベントが発生したことを決定する手段；前記決定に応答して、非受信データに関連したある範囲のシーケンスナンバーの少なくとも１つのエンドポイントの指示をノードへ送信する手段；を備えた装置が提供される。
【００３７】
好ましくは、前記イベントは、前記ノードから前記装置でデータが受信されなかったと決定することを含む。
【００３８】
好ましくは、前記イベントは、所定の時間中、前記ノードから前記装置でデータが受信されなかったと決定することを含む。
【００３９】
好ましくは、前記イベントは、タイマーの時間切れを含む。
【００４０】
好ましくは、前記範囲は、連続的な範囲を含む。
【００４１】
好ましくは、前記少なくとも１つのエンドポイントは、首尾良く受信したデータに関連したシーケンスナンバー、非受信データに関連したシーケンスナンバー、最終受信データに関連したシーケンスナンバー、及び第１受信データに関連したシーケンスナンバー、のうちの少なくとも１つを含む。
【００４２】
好ましくは、前記データは、少なくとも１つのプロトコルデータユニットを含む。
【００４３】
好ましくは、前記エンドポイントは、上のエンドポイント及び下のエンドポイントの少なくとも一方を含む。
【００４４】
好ましくは、前記装置は、二次ベースステーションを含み、そして前記ノードは、マスターベースステーションを含む。
【００４５】
好ましくは、前記装置は、前記非受信データを受信するように構成される。
【００４６】
第７の観点において、少なくとも１つのプロセッサ；及びコンピュータプログラムコードを含む少なくとも１つのメモリ；を備えた装置において、その少なくとも１つのメモリ及びコンピュータプログラムコードは、少なくとも１つのプロセッサとで、装置が、少なくとも：非受信データに関連したある範囲のシーケンスナンバーの少なくとも１つのエンドポイントの指示をノードで受信し；前記少なくとも１つのエンドポイントを使用して、非受信データに関連した前記範囲のシーケンスナンバーを決定し；前記範囲のシーケンスナンバーを、前記装置により前記ノードへ以前に送られたデータに関連した少なくとも１つのシーケンスナンバーと比較し；そして一致がある場合に、その一致するシーケンスナンバーに関連したデータを再送信する；ようにさせるよう構成された装置が提供される。
【００４７】
好ましくは、前記再送信データは、前記ノード及びユーザ装置の１つ以上へ送られる。
【００４８】
好ましくは、前記少なくとも１つのエンドポイントは、首尾良く受信したデータに関連したシーケンスナンバー、非受信データに関連したシーケンスナンバー、最終受信データに関連したシーケンスナンバー、及び第１受信データに関連したシーケンスナンバー、のうちの少なくとも１つを含む。
【００４９】
好ましくは、前記データは、少なくとも１つのプロトコルデータユニットを含む。
【００５０】
好ましくは、前記エンドポイントは、上のエンドポイント及び下のエンドポイントの少なくとも１つを含む。
【００５１】
好ましくは、前記範囲のシーケンスナンバーは、連続する範囲を含む。
【００５２】
好ましくは、前記装置は、マスターベースステーションを含み、そして前記ノードは、二次ベースステーションを含む。
【００５３】
第８の観点において、非受信データに関連したある範囲のシーケンスナンバーの少なくとも１つのエンドポイントの指示をノードで受信する手段；前記少なくとも１つのエンドポイントを使用して、非受信データに関連した前記範囲のシーケンスナンバーを決定する手段；前記範囲のシーケンスナンバーを、前記装置によって前記ノードへ以前に送られたデータに関連した少なくとも１つのシーケンスナンバーと比較する手段；及び一致がある場合に、その一致するシーケンスナンバーに関連したデータを再送信する手段；を備えた装置が提供される。
【００５４】
好ましくは、前記再送信データは、前記ノード及びユーザ装置の１つ以上へ送られる。
【００５５】
好ましくは、前記少なくとも１つのエンドポイントは、首尾良く受信したデータに関連したシーケンスナンバー、非受信データに関連したシーケンスナンバー、最終受信データに関連したシーケンスナンバー、及び第１受信データに関連したシーケンスナンバー、のうちの少なくとも１つを含む。
【００５６】
好ましくは、前記データは、少なくとも１つのプロトコルデータユニットを含む。
【００５７】
好ましくは、前記エンドポイントは、上のエンドポイント及び下のエンドポイントの少なくとも１つを含む。
【００５８】
好ましくは、前記範囲のシーケンスナンバーは、連続する範囲を含む。
【００５９】
好ましくは、前記装置は、マスターベースステーションを含み、そして前記ノードは、二次ベースステーションを含む。
【００６０】
以下、添付図面を参照して、幾つかの実施形態を一例として説明する。
【図面の簡単な説明】
【００６１】
【図１】ある実施形態によるネットワークの概略図である。
【図２】ある実施形態による移動通信装置の概略図である。
【図３】ある実施形態による制御装置の概略図である。
【図４】２つのベースステーションに接続されたＵＥの第１の例を示す。
【図５】２つのベースステーションに接続されたＵＥの第２の例を示す。
【図６】ある実施形態によるフローチャートである。
【図７】ある実施形態によるフローチャートである。
【図８】ある実施形態によるフローチャートである。
【発明を実施するための形態】
【００６２】
以下、移動通信装置にサービスするワイヤレス又は移動通信システムを参照して幾つかの規範的実施形態を説明する。規範的実施形態を詳細に説明する前に、ここに述べる例の基礎となる技術を理解する上で助けとなるように、図１及び２を参照してワイヤレス通信システム及び移動通信装置の幾つかの一般的な原理を簡単に説明する。
【００６３】
ワイヤレス通信システムでは、移動通信装置又はユーザ装置（ＵＥ）１０２、１０３、１０５は、少なくとも１つのベースステーション又は同様のワイヤレス送信及び／又は受信ノード又はポイントを経てワイヤレスアクセスする。図１の例では、セルラーシステム１００及び１１０の２つの重畳するアクセスシステム又は無線サービスエリア、及びベースステーション１０６、１０７、１１６、１１８及び１２０により与えられる３つの小さな無線サービスエリア１１５、１１７及び１１９が示されている。各移動通信装置及びステーションは、１つ以上の無線チャンネルを同時にオープンさせ、そして２つ以上のソースへ信号を送信し及び／又はそこから信号を受信する。図１には、無線サービスエリアの境界又は縁が例示のためにのみ示されていることに注意されたい。又、無線サービスエリアのサイズ及び形状は、図１の形状とは著しく変化し得ることを理解されたい。ベースステーションサイトは、１つ以上のセルを形成することができる。又、ベースステーションは、複数のセクタ、例えば、３つの無線セクタを形成し、各セクタは、セル又はセルのサブエリアを与える。セル内の全てのセクタは、同じベースステーションによるサービスを受ける。
【００６４】
ベースステーションは、典型的に、これを動作すると共に、ベースステーションと通信する移動通信装置の管理を行えるように、少なくとも１つの適当な制御装置により制御される。図１には、各マクロレベルベースステーション１０６及び１０７を制御するために制御装置１０８及び１０９が示されている。ベースステーションの制御装置は、他の制御エンティティと相互接続することができる。制御装置には、典型的に、メモリ容量及び少なくとも１つのデータプロセッサが設けられる。制御装置及びその機能は、複数の制御ユニット間に分散される。制御装置は、図３に示されており、以下に説明する。
【００６５】
図１において、ステーション１０６及び１０７は、サービングゲートウェイ（ＳＧＷ）１１２に接続されて示されている。小さなステーション１１６、１１８及び１２０は、更に別のゲートウェイ機能１１１に接続され、これは、Ｓ−ＧＷ１１２に接続される。ある実施形態では、更に別のゲートウェイ機能１１１が省略される。Ｓ−ＧＷ１１２は、例えば、ＰＧＷ（ＰＤＮ（パケットデータネットワーク）ゲートウェイ）１３２を経てインターネット１３４に接続される。
【００６６】
又、ベースステーションは、ＭＭＥ１３６（移動管理エンティティ）にも接続され、これは、次いで、ＨＳＳ（ホーム加入者サーバー）１３８に接続される。
【００６７】
システムのステーションに向けて情報ブロックを送信及び再送信するために考えられる移動通信装置を、通信装置２００の概略部分断面図である図２を参照して、以下に詳細に説明する。そのような通信装置は、しばしば、ユーザ装置（ＵＥ）又はターミナルと称される。無線信号を送信及び受信できる装置によって適当な移動通信装置が形成される。非限定例として、移動電話のような移動ステーション（ＭＳ）又は「スマートホン」として知られているもの、ワイヤレスインターフェイスカード又は他のワイヤレスインターフェイスファシリティが設けられたコンピュータ、ワイヤレス通信能力が設けられたパーソナルデータアシスタント（ＰＤＡ）、或いはそれらの組み合わせ、等が含まれる。移動通信装置は、例えば、ボイス、電子メール（ｅメール）、テキストメッセージ、マルチメディア、等の通信を搬送するためのデータを通信する。従って、ユーザには、それらの通信装置を経て多数のサービスがオファー及び提供される。それらサービスの非限定例は、二方又は多方コール、データ通信又はマルチメディアサービス、或いはインターネットのようなデータ通信ネットワークシステムへの単なるアクセスを含む。又、ユーザには、ブロードキャスト又はマルチキャストデータも与えられる。コンテンツの非限定例は、ダウンロード、テレビ及びラジオ番組、ビデオ、広告、種々の警報、及び他の情報を含む。移動装置２００は、エアインターフェイス２０７を経、適当な受信装置を経て、信号を受信し、そして適当な無線信号送信装置を経て信号を送信する。図２において、トランシーバ装置がブロック２０６で概略的に示されている。トランシーバ装置２０６は、例えば、無線部及びそれに関連したアンテナ構成体により形成される。アンテナ構成体は、移動装置の内部に配置されてもよいし又はその外部に配置されてもよい。
【００６８】
ワイヤレス通信装置には、多入力／多出力（ＭＩＭＯ）アンテナシステムを設けることができる。そのようなＭＩＭＯ構成体は、知られている。ＭＩＭＯシステムは、進歩型デジタル信号処理と共に送信器及び受信器において複数のアンテナを使用し、リンクの品質及び容量を改善する。図１及び２に示されていないが、例えば、ベースステーション及び移動ステーションに複数のアンテナを設けることができ、そして図２のトランシーバ装置２０６は、複数のアンテナポートを備えることができる。アンテナ素子が多いほど、より多くのデータを受信及び／又は送信することができる。ステーションは、複数のアンテナのアレイを備えている。ＭＩＭＯ構成体のＴｘアンテナナンバー又はポートナンバーにはシグナリング及びミューティングパターンを関連付けることができる。
【００６９】
又、移動装置には、少なくとも１つのデータ処理エンティティ２０１、少なくとも１つのメモリ２０２、及びアクセスシステムや他の通信装置へのアクセス及びそれとの通信の制御を含めて、遂行するべく指定されたタスクのソフトウェア及びハードウェア支援実行に使用される他の考えられるコンポーネント２０３も設けられる。データ処理、ストレージ及び他の当該制御装置が適当な回路板及び／又はチップセットに設けられる。この特徴は、参照番号２０４で示されている。ユーザは、キーパッド２０５、ボイスコマンド、タッチ感知スクリーン又はパッド、その組み合わせ、等の適当なユーザインターフェイスにより、移動装置の動作を制御する。ディスプレイ２０８、スピーカ及びマイクロホンも設けられる。更に、移動通信装置は、他の装置への、及び／又は例えばハンズフリー装置のような外部アクセサリを接続するための、適当なコネクタ（ワイヤード又はワイヤレス）を含む。
【００７０】
図３は、制御装置の一例を示す。制御装置３００は、制御機能を発揮するように構成される。この目的のために、制御装置３００は、少なくとも１つのメモリ３０１、少なくとも１つのデータ処理ユニット（又はプロセッサ又はマイクロプロセッサ）３０２、３０３及び入力／出力インターフェイス３０４を備えている。制御装置３００は、適当なソフトウェアコードを実行して制御機能を発揮するように構成される。
【００７１】
制御装置は、ベースステーションに設けられる。この場合、インターフェイスを経て、制御装置は、受信器及び送信器に結合される。受信器及び／又は送信器は、ベースステーションの一部分である。即ち、装置は、受信手段、及び送出／送信手段を備えている。
【００７２】
それとは別に又はそれに加えて、制御装置は、システム内のどこにでも設けられ、例えば、Ｓ−ＧＷに設けられる。
【００７３】
図３は、１つのメモリ３０１、及び２つのプロセッサ３０２、３０３を示しているが、いかなる数のそれらコンポーネントが設けられてもよい。単一のプロセッサにおいて複数の機能が実行されてもよいし、又は個別の機能が個別のプロセッサによって実行されてもよい。例えば、単一のプロセッサを使用して複数の決定を行ってもよいし、又は個別のプロセッサによって個別の決定を行ってもよい。
【００７４】
通信装置１０２、１０３、１０５は、コード分割多重アクセス（ＣＤＭＡ）又はワイドバンドＣＤＭＡ（ＷＣＤＭＡ）のような種々のアクセス技術に基づいて通信システムにアクセスすることができる。他の例として、時分割多重アクセス（ＴＤＭＡ）、周波数分割多重アクセス（ＦＤＭＡ）、及びその種々のスキーム、例えば、インターリーブされた周波数分割多重アクセス（ＩＦＤＭＡ）、単一搬送波周波数分割多重アクセス（ＳＣ−ＦＤＭＡ）及び直交周波数分割多重アクセス（ＯＦＤＭＡ）、スペース分割多重アクセス（ＳＤＭＡ）、等々が含まれる。
【００７５】
第１の構成体を示す図４を参照する。この構成体では、ユーザ装置ＵＥ４０２は、２つのｅＮｏｄｅ  Ｂからの通信を受信するように構成される。通信は、ＵＥとＳ−ＧＷとの間に確立されるベアラを経て実施され、ｅＮＢは、Ｓ−ＧＷとＵＥとの間のトラフィックの引き回しを取り扱う。この例では、第１のｅＮｏｄｅ  Ｂは、ＭｅＮｏｄｅ  Ｂ４１８（マスターｅＮｏｄｅ  Ｂ）と称される。ある実施形態では、マスターｅＮｏｄｅ  Ｂ４１８は、所与のＵＥに対して少なくともＳ１−ＭＭＥを終端するｅＮｏｄｅ  Ｂであり、そしてコアネットワークに向けて移動アンカーとして働く。ＭｅＮＢは、少なくとも１つのベアラ設定を常に有し、これは、あるシステムにおいてＳＲＢ（シグナリング無線ベアラ）が常にＭｅＮＢへ進むので、必須である。しかしながら、ＤＲＢ（データ無線ベアラ）は、全て、ＳｅＮＢへオフロードされる。
【００７６】
第２のｅＮｏｄｅ  Ｂは、ＳｅＮｏｄｅ  Ｂ４２０（二次ｅＮｏｄｅ  Ｂ）であり、これは、ユーザ装置４０２の付加的な無線リソースを与えるが、マスターｅＮｏｄｅ  Ｂではない。
【００７７】
ある実施形態では、所与のユーザ装置４０２が、少なくとも２つの異なるネットワークポイント（例えば、マスター及び二次ｅＮｏｄｅ  Ｂ）により与えられる無線リソースを消費する二重接続が設けられる。
【００７８】
図４の各Ｎｏｄｅ  Ｂは、ＰＤＣＰ（パケットデータ収斂プロトコルレイヤ）、ＲＬＣ（無線リンクプロトコル）レイヤ、及びＭＡＣ（メディアアクセス制御）レイヤを含む。
【００７９】
又、図４の構成では、二次ｅＮｏｄｅ  Ｂ４２０は、当該ＵＥのＳ１−Ｕインターフェイスを終端し、そして２つのベースステーションには、独立したＰＤＣＰレイヤがある。従って、ある実施形態では、ベアラスプリットがない。この構成では、マスターｅＮｏｄｅ  Ｂが、二次ｅＮｏｄｅ  Ｂにより送信されたＥＰＳ（進化型パケットシステム）ベアラのためのパケットをバッファ又は処理する必要がない。
【００８０】
従って、図４の構成では、ＵＥが２つのｅＮｏｄｅ  Ｂにより同時にサービスされることになり、各ｅＮｏｄｅ  Ｂは、ＵＥの、それら自身の個別のＥＰＳベアラにサービスして、ＵＥの全ＥＰＳベアラに対する最も近いネットワーク側アグリゲーションポイントがサービングゲートウェイであり、即ちＥ−ＵＴＲＡＮ（進化型ＵＭＴＳ（ユニバーサルモバイルテレコミュニケーションズシステム））地上無線アクセスネットワーク以外のものであるようにする。
【００８１】
トラフィックをマスターｅＮｏｄｅ  Ｂへ引き回す必要がなく、これは、２つのベースステーション間のバックホールリンクの必要性が低く、そしてフロー制御の必要性がないことを意味する。
【００８２】
図４に示す構成体は、二次ｅＮｏｄｅ  Ｂにおけるローカルブレイクアウト及びコンテンツキャッシングを単純なやり方でサポートする。
【００８３】
図４に示す構成体とは別の構成体を示す図５を参照する。この実施形態では、マスターｅＮｏｄｅ  Ｂ５１８のみが当該ＵＥのＳ１−Ｕインターフェイスを終端する。しかしながら、マスターｅＮｏｄｅ  Ｂ５１８にはベアラスプリットがある（完全のために非スプリットベアラも示されている）。しかしながら、両ベースステーションは、スプリットベアラのための独立ＲＬＣレイヤを有する。従って、図５に示す構成体では、スプリットベアラのためのデータストリームがマスターｅＮｏｄｅ  Ｂ５１８において受け取られる。ストリームの一部分は、ＲＬＣ及びＭＡＣレイヤによりユーザ装置５０２へ通され、そして他の部分は、マスターｅＮｏｄｅ  Ｂと二次ｅＮｏｄｅ  Ｂ５２０との間のバックホール接続により二次ｅＮｏｄｅ  Ｂ５２０のＲＬＣレイヤへ通される。これは、Ｘ２インターフェイスでのことである。ある実施形態では、ＰＤＣＰ  ＰＤＵ（プロトコルデータユニット）のサブセットのみがＭｅＮＢ５１８からＳｅＮＢ５２０へ転送される。次いで、ストリームは、二次ｅＮｏｄｅ  ＢのＭＡＣレイヤを経てユーザ装置ＵＥへ送られる。
【００８４】
この構成体は、異なるｅＮｏｄｅ  Ｂに関連したＲＬＣから受け取ったＰＤＵを再順序付けする上でＰＤＣＰが役立つようにする。これは、再順序付けタイマーに基づいて行うべきであることが提案されている。これについて考えられる欠点は、ＰＤＣＰにおける再順序付けタイマーが長い時間切れ値をもつ必要があることで、これは、ＵＥにおけるＰＤＣＰが、時には、大量の受信データを、上位レイヤへ配送する前に、バッファする必要があることを意味する。
【００８５】
又、このメカニズムに伴う欠点は、ＳｅＮＢを経てＵＥに意図されたパケットがＸ２インターフェイスを経てＭｅＮＢとＳｅＮＢとの間で移動する間に失われ得ることであるとのことが、本出願の発明者により認識されている。そのようにパケットロスに対処しないと、トランスポートコントロールプロトコル（ＴＣＰ）レイヤのようなＵＥ内の上位レベルへデータが配送されない比較的長い時間インターバルが生じる。従って、これは、ＴＣＰ性能に悪影響を及ぼす。
【００８６】
これに鑑み、１つの選択肢は、ＡＣＫ／ＮＡＣＫ制御信号を導入し、そしておそらく、ポーリングメカニズムを追加することにより、Ｘ２データ搬送を「ロスレス」にすることである。これは、ＧＴＰ−ＵトンネルプロトコルでＰＤＵの受信の確認（acknowledgement）を要求するＰＤＵヘッダフィールドの形態である。しかしながら、これは、複写送信バッファ（ＰＤＣＰ  ＳＤＵについて１つ、そしてＧＴＰ−Ｕ  ＰＤＵについて別のもの）を生じさせるか、或いはＧＴＰ−Ｕエンティティが受信ＮＡＣＫを関連ＰＤＣＰ  ＰＤＵへマップしそしてそのＮＡＣＫをＰＤＣＰまで指示する能力を生じさせる。
【００８７】
ある実施形態では、図５の構成体においてＭｅＮＢとＳｅＮＢとの間のＸ２パケットロスは、ＳｅＮＢにより送信されてＭｅＮＢへアドレスされるＡＣＫ／ＮＡＣＫフィードバックの使用により回避されるか又は少なくとも軽減される。ＡＣＫ／ＮＡＣＫフィードバックは、ＭｅＮＢにおけるＰＤＣＰレイヤへ直接アドレスされる。ＭｅＮＢは、ＳｅＮＢを経てＰＤＣＰ  ＰＤＵのサブセット及びそれらの各シーケンスナンバー（ＳＮ）だけを送信するので、ＳｅＮＢは、どのＰＤＵが最初に受信すると意図されたか必ずしも常に分からない。従って、本出願の発明者は、ＮＡＣＫ指示の若干間接的な形態が要求されることを示した。
【００８８】
一実施形態において、ＳｅＮＢが、予想されるデータを受信しないことを検出すると、ＭｅＮＢにそれを通知する。データは、ＭｅＮＢのＰＤＣＰレイヤから受信されたと予想されるＰＤＵである。受信されたデータ、及び／又は受信されたと予想されるデータは、１つ以上のシーケンスナンバーに関連付けられる。即ち、予想される各ＰＤＵは、関連シーケンスナンバー（ＳＮ）を有する。予想されるＰＤＵが受信されなかったことをＳｅＮＢに指示するあるイベントトリガーが生じると（以下で詳細に述べる）、ＳｅＮＢは、関連ＰＤＵが受信されていないところのＳＮをＭｅＮＢに通知することができる。これは、単一のＰＤＵに関連した単一のＳＮである。それとは別に、受信されていないＰＤＵが２つ以上あることもあり、この場合、ＳｅＮＢは、関連する複数のＳＮをＭｅＮＢに与えることにより複数の非受信ＰＤＵをＭｅＮＢに通知することができる。ＳｅＮＢがある範囲のＰＤＵを受信しなかったことが検出されると、ＳｅＮＢは、ＭｅＮＢに関連ＳＮ範囲を与えることができる。この範囲は、連続的である。ある実施形態において、ＳｅＮＢは、その範囲の最初と最後のＳＮ、及びそれが範囲であるとの指示子をＭｅＮＢに与える。範囲が指示されると、ＳＮエンドポイントは、次のうちの１つ以上である。
（ｉ）（首尾良く）受信した（ＰＤＣＰ）ＰＤＵのＳＮ；
（ii）受信されない（ＰＤＣＰ）ＰＤＵのＳＮ（即ち、範囲外の最初のＳＮの受信状態の決定的指示なし）；
（iii）終りなし、即ちあるＳＮを越える、受信されたＰＤＵなし；
（iv）最初に受信したデータのＳＮ。
新たに確立されるベアラについて、ＳｅＮＢが受信する最初のＰＤＵは、例えば、０以外のＳＮを有する。例えば、最初に受信したＰＤＵのＳＮが“５”の場合に、ＳｅＮＢは、ＳＮ１から４のＰＤＵを受信していないと推測する。
【００８９】
指示を送信するためのトリガーは、例えば、ある時間中受信した（ＰＤＣＰ）ＰＤＵがないとの決定である。この時間は、予め決定される。又、この時間は、異なる具現化に対して変更可能である。そのような検出に応答して、ＳＮ指示は、ＭｅＮＢへ送られる。他のトリガーも使用される。例えば、それらのＰＤＵが受信されるところの下位レイヤプロトコルのＰＤＵ  ＳＮのギャップは、スポッティングされてもよい。例えば、ＧＴＰ−ＵヘッダのＳＮフィールドを使用し、ＳｅＮＢがＧＴＰ−Ｕ  ＳＮのギャップをスポッティングすることでパケットロスを識別してもよい。
【００９０】
ＭｅＮＢは、そのような指示を受け取ると、受け取ったＳＮナンバー又はＳＮ範囲を、ＳｅＮＢへ送られた（ＰＤＣＰ）ＰＤＵ  ＳＮと比較する。この比較により、ＭｅＮＢは、どのＰＤＵがＳｅＮＢに到達しなかったか検出し、そしてそれらＰＤＵを再送信のために選択することができる。
【００９１】
図６は、ある実施形態による幾つかのステップを示すフローチャートである。
【００９２】
ステップＳ１において、トリガーイベントが生じたかどうか、例えば、ＰＤＵがＭｅＮＢから最後に受け取られたときからタイマーが時間切れしたかどうかの決定がＳｅＮＢでなされる。トリガーイベントが生じていない場合には、ステップＳ２に示すように通常の動作が続けられる。
【００９３】
他方、その答えが「イエス」であり、即ちトリガーイベントが生じた場合には、ＳｅＮＢは、非受信ＰＤＵに関連したＳＮの指示又はＳＮの範囲を含む情報をコンパイルして、ＭｅＮＢへ送信する。
【００９４】
ステップＳ４において、ＭｅＮＢは、指示を含むこの情報を処理する。上述したように、この処理は、非受信ＰＤＵのシーケンスナンバーを、ＳｅＮＢへ送られたＰＤＵのシーケンスナンバーと比較することを含む。一致がある場合には、ＭｅＮＢは、ステップＳ５に示すように、非受信ＰＤＵを必要に応じて再送信する。再送信ＰＤＵは、ＳｅＮＢへ送られるか、又はＵＥへ直接送られる。
【００９５】
このプロセスは、全てのＰＤＵが受信されるまで繰り返される。
【００９６】
図７及び８は、図６のプロセスを示すが、個別のエンティティから見たフローチャートである。
【００９７】
図７の実施形態は、ＳｅＮＢの観点から見たものである。ステップＳ１において、トリガーイベントが生じたかどうか、例えば、ＰＤＵがＭｅＮＢから最後に受け取られたときからタイマーが時間切れしたかどうかの決定がＳｅＮＢでなされる。トリガーイベントが生じていない場合には、ステップＳ２に示すように通常の動作が続けられる。
【００９８】
他方、その答えが「イエス」であり、即ちトリガーイベントが生じた場合には、ＳｅＮＢは、非受信ＰＤＵに関連したＳＮの指示又はＳＮの範囲を含む情報をコンパイルして、ＭｅＮＢへ送信する。
【００９９】
図８の実施形態は、ＭｅＮＢの観点から見たものである。ステップＳ１において、ＭｅＮＢは、ＳｅＮＢからＳＮの指示を受け取る。ステップＳ２において、ＭｅＮＢは、指示を含むこの情報を処理する。上述したように、この処理は、非受信ＰＤＵのシーケンスナンバーを、ＳｅＮＢへ送られたＰＤＵのシーケンスナンバーと比較することを含む。一致がある場合には、ＭｅＮＢは、ステップＳ３に示すように、非受信ＰＤＵを必要に応じて再送信する。再送信ＰＤＵは、ＳｅＮＢへ送られるか、又はＵＥへ直接送られる。
【０１００】
ある実施形態では、ノード（例えば、ＭｅＮＢとＳｅＮＢの）間のメッセージングは、Ｘ２  ＡＰシグナリングプロトコルに従って行われる。
【０１０１】
更に、ある実施形態では、ＭｅＮＢによる再送信の判断は、ＭｅＮＢによるＵＥへの直接的な再送信（即ち、ＳｅＮＢには送信しない）を導くか、又はＳｅＮＢを経ての再送信を導く。
【０１０２】
これらの実施形態は、ＭｅＮＢから送られそしてＳｅＮＢによるユーザ装置への送信に意図された非受信ＰＤＵに関して述べたが、これは、一例に過ぎず、その原理を他の形式のノード又はノードの構成体に適用できることが理解されよう。更に、これらの実施形態は、任意の方向、例えば、アップリンク又はダウンリンクにおいて作用する。例えば、図５及び６を参照して述べた例は、ＭｅＮＢを通りそしてＳｅＮＢを経てＵＥへ至るダウンリンク上に送られるメッセージに関連しているが、他の実施形態は、逆方向の動作、即ちＵＥからＳｅＮＢへそしてＭｅＮＢを経てネットワークへ至るアップリンク上の動作に関連したものでよい。そのようなケースでは、ＭｅＮＢは、ＳｅＮＢに非受信ＰＤＵのＳＮを指示し、そしてＳｅＮＢは、この情報を処理して、それらの欠落ＰＤＵをＭｅＮＢへ再送信する。
【０１０３】
シーケンスナンバーの範囲は、連続的で、例えば、１、２、３、４、又は７、８、９、１０、等である。２つ以上の範囲が同時に指示されてもよい。例えば、ＳｅＮＢは、ＳＮ２から７及び１２から１５に関連したデータが欠落しているという指示をＭｅＮＢに与える。又、ＳｅＮＢは、範囲の程度を明確に指示せず、そしてＭｅＮＢは、所与の情報から範囲を決定することも理解されよう。例えば、ＳｅＮＢは、ＭｅＮＢに範囲のエンドポイントを与え、そしてＭｅＮＢは、更なる情報を使用して範囲の程度を決定することができる。
【０１０４】
「エンドポイント」という語は、範囲の下端及び範囲の上端のいずれか又は両方を指す。ある実施形態において、範囲は、特定の上のエンドポイントがなくてもよい。例えば、ＳｅＮＢは、下のエンドポイント“３”を指示してもよい。ＭｅＮＢは、このエンドポイントを越えて首尾良く受け取られたＰＤＵがないことを推測する。同様に、ある実施形態では、範囲は、特定の下のエンドポイントがなくてもよい。例えば、ＳｅＮＢは、上のエンドポイント“１０”を指示する。ＭｅＮＢは、このエンドポイントの前に首尾良く受け取られたＰＤＵがないことを推測する。
【０１０５】
ある実施形態では、非受信ＰＤＵの範囲に１つ以上のエンドポイントが含まれると考えられる。例えば、７から１０の指示された範囲は、ＳＮ７、８、９及び１０に対してＰＤＵが首尾良く受け取られていないことを意味すると推測される。
【０１０６】
他の実施形態では、エンドポイントは、非受信ＰＤＵの範囲に含まれると考えない。例えば、７から１０の範囲は、ＰＤＵがＳＮ８及び９に対して首尾良く受け取られなかったことを意味すると推測される。
【０１０７】
当然、上述した値（例えば、特定のシーケンスナンバー及び／又は範囲を指す）は、説明のためのものに過ぎず、それに限定されないことが明らかである。
【０１０８】
適当に適応されるコンピュータプログラムコード製品（１つ又は複数）は、適当なデータ処理装置にロードされたとき、前記実施形態を具現化するのに使用され、例えば、地理的境界ベースの動作及び／又は他の制御動作を決定するのに使用される。動作を与えるプログラムコード製品は、適当なキャリア媒体に記憶され、設けられ、及びそれにより実施される。適当なコンピュータプログラムは、コンピュータ読み取り可能な記録媒体において実施される。データネットワークを経てプログラムコード製品をダウンロードすることが考えられる。一般的に、種々の実施形態は、ハードウェア又は特殊目的回路、ソフトウェア、ロジック又はその組み合わせで具現化される。従って、本発明の実施形態は、集積回路モジュールのような種々のコンポーネントで具現化される。集積回路の設計は、全般的に、高度に自動化されたプロセスである。論理レベル設計を、半導体基板上にエッチングして形成する準備のできた半導体回路設計へと変換するための複雑且つパワフルなソフトウェアツールが利用できる。
【０１０９】
以上、本発明の実施形態を例示したが、本発明の範囲から逸脱せずに、ここに開示した解決策に対して多数の変更や修正がなされ得ることに注意されたい。
【符号の説明】
【０１１０】
１００、１１０：セルラーシステム
１０２、１０３、１０５：ユーザ装置（ＵＥ）
１０６、１０７、１１６、１１８、１２０：ベースステーション
１１１：更に別のゲートウェイ機能
１１２：サービングゲートウェイ（ＳＧＷ）
１１５、１１７、１１９：無線サービスエリア
１３２：パケットデータネットワークゲートウェイ（ＰＧＷ）
１３４：インターネット
１３６：移動管理エンティティ（ＭＭＥ）
１３８：ホーム加入者サーバー（ＨＳＳ）
２００：移動装置
２０１：データ処理エンティティ
２０２：メモリ
２０３：他のコンポーネント
２０５：キーパッド
２０６：トランシーバ装置
２０７：エアインターフェイス
２０８：ディスプレイ
３００：制御装置
３０１：メモリ
３０２、３０３：データ処理ユニット
３０４：入力／出力インターフェイス
４０２、５０２：ユーザ装置ＵＥ
４１８、５１８：マスターｅＮｏｄｅ  Ｂ
４２０、５２０：二次ｅＮｏｄｅ  Ｂ
【図１】
0006646585.tif 000002
【図２】
0006646585.tif 000003
【図３】
0006646585.tif 000004
【図４】
0006646585.tif 000005
【図５】
0006646585.tif 000006
【図６】
0006646585.tif 000007
【図７】
0006646585.tif 000008
【図８】
0006646585.tif 000009